(57)【要約】      （修正有）【課題】手間がかからず、軽量で安価にシート状素材と、このシート状素材を使用して意匠感に優れたバッグを提供する。【解決手段】シート状素材は、裏打ち用シートと、化粧用シートとからなる。化粧用シートは、基材シートにマトリックス状に小孔を穿設し、隣り合う小孔の列間若しくは行間にわたって細幅テープを捲きつけてゆくことにより、基材シートの表面に連続するダイヤ柄乃至市松柄を形成する。【選択図】図３
0003158961.tif 000002
【実用新案登録請求の範囲】
【請求項１】
裏打ち用シートと、化粧用シートとからなり、化粧用シートは、基材シートにマトリックス状に小孔を穿設し、隣り合う小孔の列間若しくは行間にわたって細幅テープを捲きつけてゆくことにより、基材シートの表面に連続するダイヤ柄乃至市松柄を形成したことを特徴とするシート状素材。
【請求項２】
基材シートおよび／または基材シートの小孔に捲きつけてゆく細幅テープが革若しくは合成皮革からなる請求項１に記載のシート状素材。
【請求項３】
請求項１または請求項２に記載のシート状素材で形成されたバッグ。
【考案の詳細な説明】
【技術分野】
【０００１】
本考案は、バッグ等の表皮部分を構成するシート状素材及びそのシート素材を用いて形成されたバッグに関するものである。
【背景技術】
【０００２】
例えば、ハンドバッグ等袋物用の生地として、皮革紐とラメ糸や天然糸を引き揃えて反省した素材で表皮を形成するようにしたものが提案されている（特許文献１及び特許文献２参照）。
ところがこうしたものでは、皮革紐を細くしなくては編み針で編成することが難しく、細い皮革紐は靭性が弱く毛羽立っていることから、その処理や加工等に手間がかかるという問題があった。
【０００３】
一方、ハンドバッグ等袋物用の生地としては従来から細いテープ状の皮革を平織りにして形成した格子柄のシート状素材を用いることが良く行われている。
この細いテープ状の皮革を平織りにして形成された市松模様のシート状素材は、その細いテープ状の皮革の端部から解れやすく、シート状素材の周囲を形成する細いテープ状の皮革の各端部をしっかりと処理しておかなくてはならず、手間がかかるという問題があった。
【０００４】
こうした問題は、バック等袋物のパーツに裁断した場合の皮革の各端部も同様に処理しなくてはならず、さらに手間がかかるという問題があった。
加えて、市松模様のシート状素材を、細いテープ状の皮革を平織りにして形成する場合、シート素材は上下に２重構造になることから、所定面積の２倍の皮革が必要となり、その分、重量が増加するだけでなく、製造コストも高価になってしまうという問題があった。
【先行技術文献】
【特許文献】
【０００５】
【特許文献１】特開平７−５９６１２号公報
【特許文献２】実開平７−４４４０８号公報
【考案の概要】
【考案が解決しようとする課題】
【０００６】
本考案は上記問題点に鑑み提案されたもので、手間がかからず、軽量で安価にシート状素材を提供することができるようにし、このシート状素材を使用して意匠感に優れたバッグを適用することができるようにすることを目的とするものである。
【課題を解決するための手段】
【０００７】
上記目的を達成するために本考案にかかるシート状素材は、裏打ち用シートと、化粧用シートとからなり、化粧用シートは、基材シートにマトリックス状に小孔を穿設し、隣り合う小孔の列間若しくは行間にわたって細幅テープを捲きつけてゆくことにより、基材シートの表面に連続するダイヤ柄乃至市松柄を形成したことを最も主要な特徴とするものである。
【０００８】
また、本考案にかかるシート状素材では、基材シートおよび／または基材シートの小孔に捲きつけてゆく細幅テープが革若しくは合成皮革からなることも特徴とするものである。
【０００９】
次に、本考案公安発明裏打ち用シートと、化粧用シートとからなるシート状素材であって、化粧用シートにマトリックス状に小孔を穿設し、隣り合う小孔の列間若しくは行間にわたって細幅テープを捲きつけてゆくことにより、化粧用シートの表面に連続するダイヤ柄乃至市松風の柄を形成したシート素材あるいは化粧用シートおよび／または細幅テープが革若しくは合成皮革であることや、上記シート状素材を用いてバッグを形成したことも特徴とするものである。
【図面の簡単な説明】
【００１０】
【図１】は本考案にかかるシート状素材を使用した手提げバッグの斜視図である。
【図２】は本考案にかかるシート状素材の分解斜視図である。
【図３】は本考案にかかるシート状素材を制作する手順を示す要部の拡大斜視図である。
【考案を実施するための形態】
【００１１】
以下、本考案の最も好ましい実施の形態を図面に基づいて説明する。
本考案にかかるシート状素材を使用した手提げバッグの斜視図であって、図中符号１は手提げバッグを全体的に示す。
この手提げバッグ１は、上部に開口部分２を有する袋状の本体部７と、開口部分２の両端部に形成された手提げ取り付け部３・３に掛け渡した手提げ部４とを備えてなる。
【００１２】
上記手提げ部４は、中央部分に握り部５が形成されその両端部分にループ状の連結部分６が形成されている。
そして上記連結部６が取り付けられる手提取り付け部３は、袋状の本体部７の開口部分の両端部に環状リング８を取り付け、この環状リング８に連結環９を介して手提げ部４の連結部分６が取り付けられるようになっている。
【００１３】
上記袋状の本体部７は、前後の表皮１０及びマチとなる左右側面の表皮１１とからなり、各表皮１０・１１はダイヤ柄乃至市松柄２０を形成したシート状素材１２で形成されている。
こうしたシート状素材１２は図２に示すように、化粧用シート１３と、その裏面側（袋状の本体部の内側）に貼着される裏打ち用シート１４とからなり、裏打ち用シート１４は、後述する化粧用シート１３と同色で略同形にした布帛で形成されている。
【００１４】
上記化粧用シート１３に形成されるダイヤ柄乃至市松柄２０は、図３に示すようになっている。
先ず、例えば皮革やこれに似せたレザーからなる基材シート１５に小孔１６を行（横方向）１７・列（縦方向）１８に略等間隔で均等に、いわゆるマトリックス状に穿設する。
次に、隣り合う小孔１６の行１７・１７間若しくは列１８・１８間にわたって、上記基材シート１５と同様の素材である皮革やこれに似せたレザーからなる細幅テープを捲きつけてゆくことにより、基材シート１５の表面に連続するダイヤ柄乃至市松柄２０が形成される。
そして、細幅テープ１９の端部１９aは基材シート１５の裏面に貼着して固定される。
【００１５】
上記のようにして形成された表皮１０・１１で形成された手提げバッグ１は通気性に優れるとともに、細幅テープ１９を基材シート１５に穿設した行１７・１７または列１８・１８の小孔１６に捲きつけるだけの簡単な構造であることから、生産性も良く、重厚なデザインでありながら軽量化を図ることができる。
上記実施の形態では、手提げバッグ１を例にしてあるが、ショルダーバッグはもちろんのこと、ショッピングバッグ等、他の袋物にも使用することができる。
【００１６】
また、上記実施の形態では、基材シート１５及び細幅テープ１９を皮革やこれに似せたレザーで形成するようにしてあるが、こうしたものに限られず、合成樹脂シートや、その他ニット素材及びファブリック素材で形成することもできる。
【産業上の利用可能性】
【００１７】
上記実施の形態ではシート状素材１２を手提げバッグ１等の袋物に使用するようにしてあるが、このほかにクッションやソファーの表用素材に使用することもできる。
【符号の説明】
【００１８】
１・・・手提げバッグ
２・・・開口部分
３・・・手提げ取り付け部
４・・・手提げ部
５・・・握り部
６・・・連結部分
７・・・本体部
８・・・環状リング
９・・・連結環
１０・・・前後の表皮
１１・・・左右側面の表皮
１２・・・シート状素材
１３・・・化粧用シート
１４・・・裏打ち用シート
１５・・・基材シート
１６・・・小孔
１７・・・行（横方向）
１８・・・列（縦方向）
１９・・・細幅テープ
２０・・・ダイヤ柄乃至市松柄
【図１】
0003158961.tif 000003
【図２】
0003158961.tif 000004
【図３】
0003158961.tif 000005